(57)【特許請求の範囲】
【請求項１】
光透過性を有する材料で構成され、一方の面に、入射した光を、反射・散乱させる機能を有する凸条が設けられた板状部材と、
一方の主面に多数の角錐状の突部が設けられた層とを備え、
前記層は、前記突部として、三角錐状の突部を有するものであり、
前記層は、前記突部として、時計用文字板を平面視した際に、前記三角錐状の突部の底面の三角形の重心と、当該突部の頂点とが一致しない変形三角錐状突部を備えており、
前記変形三角錐状突部として、底面の三角形の一つの辺を共有する隣接する前記突部との間で、前記辺を含み時計用文字板の法線方向と平行な面を対称面とする対称関係、および／または、前記辺上の点を含み時計用文字板の法線方向と平行な線を対称軸とする対称関係を満足するものを有し、
平面視した際に、前記板状部材と前記層とが重なり合うものであることを特徴とする時計用文字板。
【請求項２】
時計用文字板が備える前記突部のうち前記変形三角錐状突部の数の割合は、８０％以上である請求項１に記載の時計用文字板。
【請求項３】
時計用文字板が備える前記変形三角錐状突部のうち前記対称関係を満足するものの数の割合は、７０％以上である請求項１または２に記載の時計用文字板。
【請求項４】
前記突部の底面は、二等辺三角形状をなすものである請求項１ないし３のいずれかに記載の時計用文字板。
【請求項５】
前記凸条についての接線に垂直な方向でかつ前記板状部材の厚さ方向の断面における前記凸条の平均ピッチは、２０μｍ以上１００μｍ以下である請求項１ないし４のいずれかに記載の時計用文字板。
【請求項６】
前記板状部材が有する前記凸条の平均高さは、１０μｍ以上５０μｍ以下である請求項１ないし５のいずれかに記載の時計用文字板。
【請求項７】
前記板状部材は、時計用文字板を平面視した際に、同心円状に設けられた複数の前記凸条を有するものである請求項１ないし６のいずれかに記載の時計用文字板。
【請求項８】
請求項１ないし７のいずれかに記載の時計用文字板を備えたことを特徴とする時計。
【発明の詳細な説明】
【技術分野】
【０００１】
本発明は、時計用文字板および時計に関する。
【背景技術】
【０００２】
時計、時計用文字板は、実用品としての機能が求められるとともに、装飾品としての装飾性（美的外観）が求められる。
従来、時計用文字板としては、高級感のある外観を得るために、一般に、金属材料で構成されたものが用いられてきた。そして、純金、純銀等の無垢材料では表現が困難な外観を得るために、複雑な組成を有する合金で構成された文字板を用いる試みもある（例えば、特許文献１参照）。
【０００３】
しかし、従来の時計用文字板では、表現することのできる外観の範囲が限られており、需要者のニーズに十分に対応することができなかった。
また、例えば、装飾品の中には、毛皮を用いたものがあるが、時計は、精密機器であるため、脱落した毛による弊害等が懸念されることから、毛皮調の時計用文字板を提供することができなかった。
【先行技術文献】
【特許文献】
【０００４】
【特許文献１】特開２００９−２２２６０５号公報
【発明の概要】
【発明が解決しようとする課題】
【０００５】
本発明の目的は、従来表現することのできなかった毛皮調の外観を呈する時計用文字板を提供すること、また、前記時計用文字板を備えた時計を提供することにある。
【課題を解決するための手段】
【０００６】
このような目的は下記の本発明により達成される。
【０００８】
本発明の時計用文字板は、光透過性を有する材料で構成され、一方の面に、入射した光を、反射・散乱させる機能を有する凸条が設けられた板状部材と、
一方の主面に多数の角錐状の突部が設けられた層とを備え、
前記層は、前記突部として、三角錐状の突部を有するものであり、
前記層は、前記突部として、時計用文字板を平面視した際に、前記三角錐状の突部の底面の三角形の重心と、当該突部の頂点とが一致しない変形三角錐状突部を備えており、
前記変形三角錐状突部として、底面の三角形の一つの辺を共有する隣接する前記突部との間で、前記辺を含み時計用文字板の法線方向と平行な面を対称面とする対称関係、および／または、前記辺上の点を含み時計用文字板の法線方向と平行な線を対称軸とする対称関係を満足するものを有し、
平面視した際に、前記板状部材と前記層とが重なり合うものであることを特徴とする。
これにより、従来表現することのできなかった毛皮調の外観を呈する時計用文字板を提供することができる。
【００１０】
本発明の時計用文字板では、時計用文字板が備える前記突部のうち前記変形三角錐状突部の数の割合は、８０％以上であることが好ましい。
これにより、時計用文字板の外観を、より立体感に溢れ、より高級感のあるものとすることができる。
本発明の時計用文字板では、時計用文字板が備える前記変形三角錐状突部のうち前記対称関係を満足するものの数の割合は、７０％以上であることが好ましい。
これにより、時計用文字板の外観を、より立体感に溢れ、より高級感のあるものとすることができる。
【００１１】
本発明の時計用文字板では、前記突部の底面は、二等辺三角形状をなすものであることが好ましい。
これにより、時計用文字板の外観を、より立体感に溢れ、より高級感のあるものとすることができる。
本発明の時計用文字板では、前記凸条についての接線に垂直な方向でかつ前記板状部材の厚さ方向の断面における前記凸条の平均ピッチは、２０μｍ以上１００μｍ以下であることが好ましい。
これにより、時計用文字板の美的外観を特に優れたものとすることができる。
【００１２】
本発明の時計用文字板では、前記板状部材が有する前記凸条の平均高さは、１０μｍ以上５０μｍ以下であることが好ましい。
これにより、時計用文字板の美的外観を特に優れたものとすることができる。
本発明の時計用文字板では、前記板状部材は、時計用文字板を平面視した際に、同心円状に設けられた複数の前記凸条を有するものであることが好ましい。
これにより、時計用文字板の美的外観を特に優れたものとすることができる。
本発明の時計は、本発明の時計用文字板を備えたことを特徴とする。
これにより、従来表現することのできなかった毛皮調の外観を呈する時計用文字板を備えた時計を提供することができる。
【発明の効果】
【００１３】
本発明によれば、従来表現することのできなかった毛皮調の外観を呈する時計用文字板を提供すること、また、前記時計用文字板を備えた時計を提供することができる。
【図面の簡単な説明】
【００１４】
【図１】本発明の時計用文字板の第１実施形態を示す断面図である。
【図２】板状部材が有する凸条の配置パターンの例を模式的に示す平面図である。
【図３】板状部材が有する凸条の配置パターンの例を模式的に示す平面図である。
【図４】板状部材が有する凸条の配置パターンの例を模式的に示す平面図である。
【図５】板状部材が有する凸条の配置パターンの例を模式的に示す平面図である。
【図６】板状部材が有する凸条の配置パターンの例を模式的に示す平面図である。
【図７】本発明の時計用文字板の第２実施形態を示す断面図である。
【図８】図７に示す時計用文字板が備える、角錐状の突部を有する層の拡大平面図である。
【図９】本発明の時計（携帯時計）の好適な実施形態を示す部分断面図である。
【図１０】本発明の第１実施形態の時計用文字板が有する板状部材の一例を示す写真である。
【図１１】本発明の第１実施形態の時計用文字板が有する層１２の一例を示す写真である。
【図１２】図１０に示す板状部材１１、および、図１１に示す層１２を備えた本発明の第１実施形態の時計用文字板を示す写真である。
【図１３】本発明の第２実施形態の時計用文字板が有する層１２の一例を示す写真である。
【図１４】図１０に示す板状部材１１、および、図１３に示す層１２を備えた本発明の第２実施形態の時計用文字板を示す写真である。
【発明を実施するための形態】
【００１５】
以下、本発明の好適な実施形態について、添付図面を参照しつつ説明する。
まず、本発明の時計用文字板の好適な実施形態について説明する。
＜時計用文字板＞
（第１実施形態）
図１は、本発明の時計用文字板の第１実施形態を示す断面図、図２〜図６は、板状部材が有する凸条の配置パターンの例を模式的に示す平面図、図１０は、本実施形態の時計用文字板が有する層１２の一例を示す写真、図１１は、図１０に示す層１２を備えた本実施形態の時計用文字板を示す写真である。
【００１６】
図１に示すように、本実施形態の時計用文字板１は、光透過性を有する板状部材１１を備えたものである。板状部材１１は、一方の面（第１の面）１１１に、入射した光を、反射・散乱させる機能を有する凸条１１３が設けられている。
また、時計用文字板１は、板状部材１１の凸条１１３が設けられた面（第１の面）１１１とは反対の面（第２の面）１１２側に、それ単独では、ラメ調の外観を呈する層１２を備えている。
【００１７】
そして、平面視した際に、板状部材１１と層１２とが重なり合うものである。
時計用文字板１が、このような構成を有することにより、従来表現することのできなかった毛皮調の外観を呈することができる。
特に、本実施形態の時計用文字板は、層１２として、光を反射する機能を有する粉末１２１が多数個分散した層（分散層）１２を有している。これにより、時計用文字板１の毛皮調の外観を特に優れたものとすることができる。
時計用文字板１は、板状部材１１の第１の面１１１側が観察者側（外表面側）を向くようにして用いられるものである。
【００１８】
［板状部材１１］
板状部材１１は、光透過性を有する材料で構成されたものである。本発明において、「光透過性を有する」とは、可視光領域（３８０〜７８０ｎｍの波長領域）の光の少なくとも一部を透過する性質を有することを指し、好ましくは可視光領域の光の透過率が５０％以上であり、より好ましくは可視光領域の光の透過率が６０％以上である。このような光の透過率は、例えば、光源として、白色蛍光灯（東芝社製、検査用蛍光灯  ＦＬ２０Ｓ−Ｄ６５）を用い、１０００ルクス下で、測定対象の部材（または時計用文字板）と同一形状のソーラーセル（太陽電池）のみで発電した際の電流値（Ｘ）に対する、当該ソーラーセルの光源側の面に測定対象である部材（または時計用文字板）を載せた以外は、前記と同一の状態で発電した際の電流値（Ｙ）の比率（（Ｙ／Ｘ）×１００［％］）を、採用することができる。以下、本明細書中において、特に断りのない限り、「光の透過率」とは、このような条件で求められる値のことを指す。
【００１９】
板状部材１１を構成する材料としては、例えば、各種プラスチック材料、各種ガラス材料等が挙げられるが、板状部材１１は、主としてプラスチック材料で構成されたものであるのが好ましい。プラスチック材料は、一般に、成形性（成形の自由度）に優れており、種々の形状の時計用文字板１の製造に好適に適用することができる。また、板状部材１１がプラスチック材料で構成されたものであると、時計用文字板１の製造コスト低減に有利である。また、プラスチック材料は、一般に、光（可視光）の透過性に優れるとともに、電波の透過性にも優れているため、板状部材１１がプラスチック材料で構成されたものであると、時計用文字板１を、後述するような電波時計に好適に適用することができる。以下の説明では、板状部材１１が主としてプラスチック材料で構成された例を、中心に説明する。なお、本発明では、「主として」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
【００２０】
板状部材１１を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、板状部材１１は、主として、ポリカーボネートおよび／またはアクリロニトリル−ブタジエン−スチレン共重合体で構成されたものであるのが好ましい。これにより、時計用文字板１全体としての強度を特に優れたものとすることができる。また、板状部材１１の成形の自由度が増す（成形のし易さが向上する）ため、より複雑な形状の時計用文字板１であっても、容易かつ確実に製造することができる。また、ポリカーボネートは、各種プラスチック材料の中でも比較的安価で、時計用文字板１の生産コストのさらなる低減に寄与することができる。また、ＡＢＳ樹脂は、特に優れた耐薬品性も有しており、時計用文字板１全体としての耐久性をさらに向上されることができる。
【００２１】
なお、板状部材１１は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、板状部材１１が着色剤を含む材料で構成されたものであると、時計用文字板１の色のバリエーションを広げることができる。
【００２２】
板状部材１１は、各部位でその組成が実質的に均一な組成を有するものであってもよいし、部位によって組成の異なるものであってもよい。
板状部材１１の屈折率（絶対屈折率）は、１．５００以上１．６５０以下であるのが好ましく、１．５５０以上１．６００以下であるのがより好ましい。これにより、後に詳述するような光の反射・散乱を好適に生じさせることができ、時計用文字板１の美的外観および光の透過性をいずれも優れたものとすることができる。
上述したように、板状部材１１は、第１の面１１１に、第１の面１１１側から入射した光を、反射・散乱させる機能を有する凸条１１３を有するものである。
【００２３】
ところで、板状部材１１は、光透過性を有するものであるため、時計用文字板１の外部からの光（図１中上側からの光）の一部は、板状部材１１の内部に進入することとなる。板状部材１１の内部に進入した光は、第１の面１１１側から第２の面１１２側に向かって進行し、その一部は、第２の面１１２側から出射する（すなわち、板状部材１１を透過する）ことになるが、他の一部は、第１の面１１１に設けられた凸条１１３により、反射・散乱する。
【００２４】
凸条１１３は、いかなる配置のものであってもよいが、板状部材１１を平面視した際に、規則的に配置されたものであるのが好ましい。これにより、時計用文字板１の美的外観を特に優れたものとすることができる。
凸条１１３の配置パターン（平面視した際の配置パターン）としては、例えば、複数の凸条１１３が同心円状に配置されたパターン（図２参照）、凸条１１３が渦巻状に配置されたパターン（図３参照）等が挙げられる。また、例えば、一次元方向に多数の凸条１１３が配置されたパターン（図４参照）、二次元方向に多数の凸条１１３が配置されたパターン（図５、図６参照）等であってもよい。
【００２５】
中でも、凸条１１３の配置パターンとしては、複数の凸条１１３が同心円状に配置されたものであるのが特に好ましい。これにより、時計用文字板１の美的外観を特に優れたものとすることができる。
凸条１１３についての接線に垂直な方向でかつ板状部材１１の厚さ方向の断面における凸条１１３のピッチＰ１の平均値（平均ピッチ）は、特に限定されないが、２０μｍ以上１００μｍ以下であるのが好ましく、３０μｍ以上７０μｍ以下であるのがより好ましい。凸条１１３のピッチＰ１の平均値（平均ピッチ）が前記範囲内の値であると、時計用文字板１の美的外観を特に優れたものとすることができる。
【００２６】
また、凸条１１３の高さＨ１の平均値（平均高さ）は、特に限定されないが、１０μｍ以上５０μｍ以下であるのが好ましく、１５μｍ以上３５μｍ以下であるのがより好ましい。凸条１１３の高さＨ１の平均値（平均高さ）が前記範囲内の値であると、時計用文字板１としての光の透過率を十分に高いものとしつつ、時計用文字板１の美的外観を特に優れたものとすることができる。
【００２７】
また、図示の構成では、前記断面における凸条１１３の断面形状は、二等辺三角形状をなすものである。凸条１１３の断面形状がこのようなものであると、第１の面１１１側から入射した光を適度に反射・散乱させることができ、時計用文字板１の美的外観を特に優れたものとすることができる。
凸条１１３の頂点の角度（図中のθ１）は、特に限定されないが、７０°以上１００°以下であるのが好ましく、９０°であるのがより好ましい。これにより、第１の面１１１側から入射した光を適度に反射・散乱させることができ、時計用文字板１の美的外観を特に優れたものとすることができる。
【００２８】
また、板状部材１１の第２の面１１２は、比較的平坦（平滑）なものであってもよいし、放射状や渦目等の文様が設けられていてもよいが、放射状の文様が設けられているのが好ましい。これにより、時計用文字板１の外観を、ミンクの毛皮のような、より高級感に溢れたものとすることができる。第２の面１１２の表面粗さＲａは、０．００１μｍ以上５．０μｍ以下であるのが好ましく、０．００１μｍ以上２．５μｍ以下であるのがより好ましい。これにより、上記のような効果はさらに顕著なものとして発揮される。
また、板状部材１１の形状、大きさは、特に限定されず、通常、製造すべき時計用文字板１の形状、大きさに基づいて決定される。なお、図示の構成では、板状部材１１は、平板状をなすものであるが、例えば、湾曲板状等をなすものであってもよい。
【００２９】
板状部材１１の平均厚さは、特に限定されないが、５０μｍ以上７００μｍ以下であるのが好ましく、１００μｍ以上６００μｍ以下であるのがより好ましく、１５０μｍ以上５００μｍ以下であるのがさらに好ましい。板状部材１１の平均厚さが前記範囲内の値であると、時計用文字板１をソーラー時計に適用する場合に、時計用文字板１の光透過性を十分に高いものとしつつ、太陽電池の自色が透けて見えるのをより効果的に防止することができ、美的外観（高級感）を特に優れたものとすることができる。また、板状部材１１の平均厚さが前記範囲内の値であると、時計用文字板１が適用される時計が、厚型化するのを効果的に防止しつつ、時計用文字板１の機械的強度、形状の安定性等を十分に優れたものとすることができる。
【００３０】
また、板状部材１１は、いかなる方法で成形されたものであってもよいが、板状部材１１の成形方法としては、例えば、圧縮成形、押出成形、射出成形、光造形等が挙げられる。また、凹凸の無い板状部材を用意し、これに切削加工等の処理を施し、凸条１１３が設けられた板状部材１１を製造してもよい。また、凸条と溝とは相対的なものであるため、板状部材１１に溝が設けられた結果、それ以外の部位が、凸条１１３となっていてもよい。
【００３１】
［層１２］
層１２は、それ単独では、ラメ調の外観を呈するものである。このような層１２を、板状部材１１が備えることにより、板状部材１１を透過した光が層１２によって反射されることとなるが、層１２によって反射された光は、板状部材１１が有する凸条１１３によって引き伸ばされたものとして観察者に認識されるため、動物の毛のような外観を呈するものとなり、時計用文字板１全体としての外観は、光沢感のある動物の毛皮のようなものとなり、高級感に溢れたものとなる。
【００３２】
特に、本実施形態では、層１２は、硬化性樹脂の硬化物で構成された硬化部１２２中に、光を反射する機能を有する鱗片状の粉末（光沢性粉末）１２１が多数個分散した構成を有している。層１２がこのような構成であることにより、時計用文字板１の美的外観を特に優れたものとすることができる。
また、層１２が上記のような構成を有し、層１２全体として光透過性を有するものである場合、層１２の内部に入射した光を多数個の粉末１２１の表面で繰り返し反射をさせつつ、その光の一部を図１中の上側から出射させ、また、その光の他の一部を図１中の下側から出射させることができる。その結果、時計用文字板１の背面側の様子を観察者に直接視認させることを防止することができ、時計用文字板１の美的外観を優れたものとしつつ、時計用文字板１全体としての光の透過性を十分に優れたものとすることができる。このため、時計用文字板１は、その背面に太陽電池を備えたソーラー時計に好適に適用することができる。
【００３３】
図１に示すように、層１２中に含まれる多数個の光沢性粉末１２１のうちの少なくとも一部は、時計用文字板１を平面視した際に重なり合うように配置されているのが好ましい。これにより、時計用文字板１の美的外観を特に優れたものとすることができる。また、光の透過性を特に優れたものとすることができるため、時計用文字板１をソーラー時計により好適に適用することができる。
【００３４】
層１２を構成する光沢性粉末１２１は、鱗片状をなすものであるのが好ましく、特に、略直方体状をなすものであるのがより好ましい。言い換えると、層１２を構成する光沢性粉末１２１は、平面視した際の形状が、略長方形であるのが好ましい。これにより、時計用文字板１の美的外観を特に優れたものとすることができる。
光沢性粉末１２１の平均粒径は、３０μｍ以上２００μｍ以下であるのが好ましく、４０μｍ以上１８０μｍ以下であるのがより好ましく、５０μｍ以上１６０μｍ以下であるのがさらに好ましい。光沢性粉末１２１の平均粒径が前記範囲内の値であると、時計用文字板１の美的外観を特に優れたものとすることができる。また、光の透過性を特に優れたものとすることができるため、時計用文字板１をソーラー時計により好適に適用することができる。本発明において、粉末の粒径とは、粉末を平面視したときの周囲長と同じ長さの周囲長を有する真円の直径の値を指す。より具体的に説明すると、粉末の平面視したときの形状が一辺の長さがａ［μｍ］の正方形である場合、当該粉末の粒径は、４ａ／π［μｍ］である。
【００３５】
光沢性粉末１２１の平均厚さは、１０μｍ以上３０μｍ以下であるのが好ましく、１２μｍ以上２８μｍ以下であるのがより好ましく、１４μｍ以上２６μｍ以下であるのがさらに好ましい。光沢性粉末１２１の平均厚さが前記範囲内の値であると、光沢性粉末１２１において、入射した光を確実に反射することができるとともに、複数個の光沢性粉末１２１を、互いに、層１２の厚さ方向の座標が異なる部位に、効率よく配置することができる。その結果、層１２の内部に入射した光を効率よく、繰り返し反射させることができ、時計用文字板１の美的外観を特に優れたものとすることができる。
【００３６】
層１２の平均厚さをＴＢ［μｍ］、光沢性粉末１２１の平均厚さをＴＰ［μｍ］としたとき、０．０２≦ＴＰ／ＴＢ≦０．５０の関係を満足するのが好ましく、０．０３≦ＴＰ／ＴＢ≦０．４５の関係を満足するのがより好ましく、０．０４≦ＴＰ／ＴＢ≦０．４０の関係を満足するのがさらに好ましい。このような関係を満足することにより、時計用文字板１の美的外観を特に優れたものとすることができる。また、光の透過性を特に優れたものとすることができるため、時計用文字板１をソーラー時計により好適に適用することができる。
【００３７】
光沢性粉末１２１としては、例えば、金属材料等の光輝性を有する材料（光輝性材料）で構成されたものであってもよいし、プラスチック等のような層１２中において実質的に光輝性を発揮しない材料で構成された層と、金属材料等の光輝性を有する材料（光輝性材料）で構成された層とを有する積層体で構成されたものであってもよい。
光沢性粉末１２１を構成する光輝性材料としては、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇや、これらのうち少なくとも１種を含む合金（例えば、青銅、真鍮、洋白等）等が挙げられるが、中でも、Ｃｕ、Ａｌ、Ａｕ、Ｐｔ、Ａｇが好ましい。これにより、製造される時計用文字板１の美的外観を特に優れたものとすることができる。
【００３８】
層１２中における光沢性粉末１２１の含有率は、５ｖｏｌ％以上４０ｖｏｌ％以下であるのが好ましく、７ｖｏｌ％以上３５ｖｏｌ％以下であるのがより好ましく、１０ｖｏｌ％以上３３ｖｏｌ％以下であるのがさらに好ましい。層１２中における光沢性粉末１２１の含有率が前記範囲内の値であると、時計用文字板の美的外観を特に優れたものとすることができる。また、光の透過性を特に優れたものとすることができるため、時計用文字板１をソーラー時計により好適に適用することができる。
【００３９】
硬化部１２２は、層１２において、多数個の光沢性粉末１２１を分散させる分散媒として機能し、複数個の光沢性粉末１２１が凝集してしまうのを防止する機能を有している。これにより、層１２において、入射した光を効率よく、繰り返し反射させることができ、時計用文字板の美的外観を特に優れたものとすることができる。
層１２の平均厚さは、２５μｍ以上５００μｍ以下であるのが好ましく、３０μｍ以上４００μｍ以下であるのがより好ましく、４０μｍ以上３５０μｍ以下であるのがさらに好ましい。
【００４０】
板状部材１１の凸条１１３が設けられた面と、層１２の光を反射する面（本実施形態では、光沢性粉末１２１の表面）との最短距離Ｄは、１００μｍ以上１０００μｍ以下であるのが好ましく、１５０μｍ以上９００μｍ以下であるのがより好ましく、２００μｍ以上８５０μｍ以下であるのがさらに好ましい。これにより、時計用文字板の外観を、より立体感に溢れ、より高級感のあるものとすることができる。
【００４１】
図示の構成では、板状部材１１と層１２とが、分離して配置されているが、板状部材１１と層１２とは密着したもの（一体的に形成されたもの等）であってもよい。
また、時計用文字板１は、図示しないコート層を有するものであってもよい。
上述したように、時計用文字板１は、美的外観に優れるとともに、光の透過性にも優れている。このため、時計用文字板１は、ソーラー時計（太陽電池を内蔵する時計）等に好適に適用することができる。
【００４２】
また、時計用文字板１は、耐久性にも優れているため、携帯時計（例えば、腕時計）に好適に適用することができる。
図１中、層１２は、それ自体が、時計用文字板１において、独立して存在するものであるが、層１２は、例えば、別途用意された基材の表面に設けられたものであってもよい。これにより、層１２の厚さが比較的薄いものであっても、時計用文字板１中における層１２の形状の安定性を十分に優れたものとすることができる。このため、時計用文字板１の製造に際し、粉末１２１の使用量等を抑制することができる。
【００４３】
なお、図１０に、本実施形態の時計用文字板が有する板状部材１１の一例の写真を示し、図１１に、本実施形態の時計用文字板が有する層１２の一例の写真を示し、図１２に、図１０に示す板状部材１１、および、図１１に示す層１２を備えた本実施形態の時計用文字板の写真を示した。図１０は、板状部材を凸条が設けられた第１の面側から撮影した写真であり、図１２は、時計用文字板の板状部材１１が設けられた面側から撮影した写真である。
【００４４】
（第２実施形態）
図７は、本発明の時計用文字板の第２実施形態を示す断面図、図８は、図７に示す時計用文字板が備える、角錐状の突部を有する層の拡大平面図、図１３は、本実施形態の時計用文字板が有する層１２の一例を示す写真、図１４は、図１０に示す板状部材１１、および、図１３に示す層１２を備えた本実施形態の時計用文字板を示す写真である。
以下、第２実施形態の時計用文字板について、前記第１実施形態との相違点を中心に説明し、同様の事項の説明は省略する。
【００４５】
本実施形態の時計用文字板１では、板状部材１１の凸条１１３が設けられた面１１１とは反対の面１１２側に、一方の主面（面）１２３に多数の角錐状の突部１２４が設けられた層１２を備えている。これにより、時計用文字板１の毛皮調の外観を特に優れたものとすることができる。
また、図示の構成では、層１２は、突部として、三角錐状の突部１２４（１２４Ａ、１２４Ｂ）を有するものである。このように、層１２が、三角錐状の突部１２４を有するものであることにより、時計用文字板１を、ミンクの毛皮のような、より高級感に溢れた外観を呈するものとすることができる。
【００４６】
また、図示の構成では、層１２は、突部１２４として、時計用文字板１を平面視した際に、三角錐状の突部１２４の底面の三角形の重心１２４２と、当該突部１２４の頂点１２４１とが一致しない変形三角錐状突部１２４Ｂを備えており、変形三角錐状突部１２４Ｂとして、底面の三角形の一つの辺１２４３を共有する隣接する突部１２４（１２４Ｂ）との間で、当該辺（共有辺）１２４３を含み時計用文字板１の法線方向と平行な面を対称面１２５とする対称関係、および／または、前記辺（共有辺）１２４３上の点を含み時計用文字板１の法線方向と平行な線１２６を対称軸とする対称関係を満足するものを有する。これにより、時計用文字板１の外観を、より立体感に溢れ、より高級感のあるものとすることができる。
【００４７】
変形三角錐状突部１２４Ｂは、時計用文字板１を平面視した際に、底面の三角形の重心１２４２と頂点１２４１とが一致しないものであるのが好ましいが、底面の三角形の外周の長さをＬ［μｍ］、時計用文字板１を平面視した際の重心１２４２と頂点１２４１との距離をΔＬ［μｍ］としたとき、１．０≦（ΔＬ／Ｌ）×１００≦１８．０の関係を満足するのが好ましく、４．０≦（ΔＬ／Ｌ）×１００≦１５．０の関係を満足するのがより好ましい。これにより、時計用文字板１の外観を、さらに立体感に溢れ、さらに高級感のあるものとすることができる。
【００４８】
時計用文字板１が備える突部１２４のうち変形三角錐状突部１２４Ｂの数の割合は、８０％以上であるのが好ましく、８２％以上であるのがより好ましく、８５％以上であるのがさらに好ましい。これにより、時計用文字板１の外観を、より立体感に溢れ、より高級感のあるものとすることができる。
また、時計用文字板１が備える変形三角錐状突部１２４Ｂのうち上述したような対称関係（共有辺１２４３を含み時計用文字板１の法線方向と平行な面を対称面１２５とする対称関係、および／または、共有辺１２４３上の点を含み時計用文字板１の法線方向と平行な線１２６を対称軸とする対称関係）を満足するものの数の割合は、７０％以上であるのが好ましく、７３％以上であるのがより好ましく、７７％以上であるのがさらに好ましい。これにより、時計用文字板１の外観を、より立体感に溢れ、より高級感のあるものとすることができる。
【００４９】
図示のように、時計用文字板１が備える突部１２４は、その底面が二等辺三角形状をなすものであるのが好ましく、正三角形状をなすものであるのがより好ましい。これにより、時計用文字板１の外観を、より立体感に溢れ、より高級感のあるものとすることができる。
突部１２４の傾斜面（三角錐の底面以外の面）の層１２に対する傾斜角度θ（層１２の法線に垂直な面方向と傾斜面とのなす角θ。０°＜θ＜９０°）の平均値θａｖｅは、２０°以上８０°以下であるのが好ましく、４０°以上７５°以下であるのがより好ましい。
【００５０】
また、時計用文字板１は、図７に示すように、互いに高さの異なる突部１２４を備えるものであるのが好ましい。これにより、時計用文字板１の美的外観を特に優れたものとすることができる。
突部１２４の平均高さは、１０μｍ以上５００μｍ以下であるのが好ましく、４０μｍ以上３５０μｍ以下であるのがより好ましい。これにより、時計用文字板１の美的外観を特に優れたものとすることができる。
【００５１】
また、面１２３に設けられた多数個の突部１２４のうち、面１２３に設けられた多数個の突部１２４の平均高さとの差の絶対値が１００μｍ以上である高さを有するものの割合は、１０％以上７０％であるのが好ましく、２０％以上５０％であるのがより好ましい。これにより、時計用文字板１の美的外観を特に優れたものとすることができる。
また、本実施形態の時計用文字板１は、図８に示すように、層１２（時計用文字板１）を平面視した際に、多数個の突部１２４がマトリックス状に配置されている。このように、多数個の突部１２４が規則的に配置されることにより、時計用文字板１の美的外観を特に優れたものとすることができる。
【００５２】
また、層１２を平面視した際の、各突部１２４の平均面積は、１×１０３μｍ２以上１×１０10μｍ２以下であるのが好ましく、１×１０４μｍ２以上１×１０８μｍ２以下であるのがより好ましい。これにより、時計用文字板１の美的外観を特に優れたものとすることができる。また、層１２が全体として光透過性を有するものである場合には、時計用文字板１全体としての光の透過性を十分に優れたものとすることができ、時計用文字板１をソーラー時計に好適に適用することができる。
【００５３】
なお、図１３に、本実施形態の時計用文字板が有する層１２の一例の写真を示し、図１４に、図１０に示す板状部材１１、および、図１３に示す層１２を備えた本実施形態の時計用文字板の写真を示した。図１３は、層１２の突部１２４が設けられた面とは反対の面側から撮影した写真であり、図１４は、時計用文字板の板状部材１１が設けられた面側から撮影した写真である。
【００５４】
＜時計＞
次に、上述したような本発明の時計用文字板を備えた本発明の時計について説明する。
本発明の時計は、上述したような本発明の時計用文字板を有するものである。上述したように、本発明の時計用文字板は、従来表現することのできなかった毛皮調の外観を呈するものであり、装飾性（美的外観）に優れたものである。また、板状部材１１および層１２の材料の選択により、上記のような優れた外観を確保しつつ、時計用文字板１全体としての光透過性を優れたものとすることができる。このため、このような時計用文字板を備えた本発明の時計は、ソーラー時計としての求められる要件を十分に満足することができる。なお、本発明の時計を構成する時計用文字板（本発明の時計用文字板）以外の部品としては、公知のものを用いることができるが、以下に、本発明の時計の構成の一例について説明する。
【００５５】
図９は、本発明の時計（携帯時計）の好適な実施形態を示す断面図である。
図９に示すように、本実施形態の腕時計（携帯時計）１００は、胴（ケース）８２と、裏蓋８３と、ベゼル（縁）８４と、ガラス板（カバーガラス）８５とを備えている。また、ケース８２内には、前述したような本発明の時計用文字板１と、太陽電池９４と、ムーブメント８１とが収納されており、さらに、図示しない針（指針）等が収納されている。時計用文字板１は、太陽電池９４と、ガラス板（カバーガラス）８５との間に設けられており、板状部材１１の第１の面１１１が、ガラス板（カバーガラス）８５側を向くように配置されている。
【００５６】
ガラス板８５は、通常、透明性の高い透明ガラスやサファイア等で構成されている。これにより、本発明の時計用文字板１の審美性を十分に発揮させることができるとともに、太陽電池９４に十分な光量の光を入射させることができる。
ムーブメント８１は、太陽電池９４の起電力を利用して、指針を駆動する。
図９中では省略しているが、ムーブメント８１内には、例えば、太陽電池９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
【００５７】
また、ムーブメント８１は、図示しない電波受信用のアンテナを備えている。そして、受信した電波を用いて時刻調整等を行う機能を有している。
太陽電池９４は、光エネルギーを電気エネルギーに変換する機能を有する。そして、太陽電池９４で変換された電気エネルギーは、ムーブメントの駆動等に利用される。
太陽電池９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００５８】
胴８２には巻真パイプ８６が嵌入・固定され、この巻真パイプ８６内にはりゅうず８７の軸部８７１が回転可能に挿入されている。
胴８２とベゼル８４とは、プラスチックパッキン８８により固定され、ベゼル８４とガラス板８５とはプラスチックパッキン８９により固定されている。
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００５９】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
上記のような携帯時計（腕時計）は、各種時計の中でも特に優れた耐久性（例えば、耐衝撃性等）が求められるものであるため、優れた美的外観とともに、優れた耐久性が得られる本発明を、より好適に適用することができる。
【００６０】
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
以上、本発明の好適な実施形態について説明したが、本発明は上記のようなものに限定されるものではない。
【００６１】
例えば、本発明の時計用文字板、時計では、各部の構成は、同様の機能を発揮する任意の構成のものに置換することができ、また、任意の構成を付加することもできる。例えば、各種印刷法により形成された印刷部を有するものであってもよい。
また、前述した実施形態では、板状部材が有する凸条は、第１の面の全体に設けられたものとして説明したが、凸条は、第１の面の一部にのみ選択的に設けられたものであってもよい。
【符号の説明】
【００６２】
１…時計用文字板  １１…板状部材    １１１…面（第１の面）  １１２…面（第２の面）  １１３…凸条  １２…層  １２１…粉末（光沢性粉末）  １２２…硬化部  １２３…主面（面）  １２４…突部  １２４Ａ…突部  １２４Ｂ…変形三角錐状突部（突部）  １２４１…頂点  １２４２…重心  １２４３…辺（共有辺）  １２５…対称面  １２６…線  ９４…太陽電池  ８１…ムーブメント  ８２…胴（ケース）  ８３…裏蓋  ８４…ベゼル（縁）  ８５…ガラス板（カバーガラス）  ８６…巻真パイプ  ８７…りゅうず  ８７１…軸部  ８７２…溝  ８８…プラスチックパッキン  ８９…プラスチックパッキン  ９１…ゴムパッキン（りゅうずパッキン）  ９２…ゴムパッキン（裏蓋パッキン）  ９３…接合部（シール部）  ９４…太陽電池  １００…腕時計（携帯時計）  Ｄ…最短距離  Ｈ１…高さ  Ｐ１…ピッチ
【図１】
0005652192.tif 000002
【図２】
0005652192.tif 000003
【図３】
0005652192.tif 000004
【図４】
0005652192.tif 000005
【図５】
0005652192.tif 000006
【図６】
0005652192.tif 000007
【図７】
0005652192.tif 000008
【図８】
0005652192.tif 000009
【図９】
0005652192.tif 000010
【図１０】
0005652192.tif 000011
【図１１】
0005652192.tif 000012
【図１２】
0005652192.tif 000013
【図１３】
0005652192.tif 000014
【図１４】
0005652192.tif 000015